(57)【要約】【課題】本発明の課題は、芳香等成分発生装置の改良である。【解決手段】本発明に係る芳香等成分発生装置においては、固定本体部に対して可動本体部が相対移動可能に設けられ、これら固定本体部に対する可動本体部の相対移動により、芳香等成分発生装置のスイッチが切り換えられる。このように、可動本体部の固定本体部に対する相対移動によりスイッチが切り換わるのであり、使い勝手を良くすることができる。【選択図】図６
2020124402.tif 000002
【特許請求の範囲】
【請求項１】
ファンと、
ファンの上方に設けられ、芳香成分、消臭成分、防虫成分のうちの１つ以上を含む芳香等成分を含む液体を保持する芳香等成分担持体と、
前記ファンを駆動するモータと、
前記モータを制御する制御部を備えた制御基板と、
前記ファンと、前記芳香等成分担持体と、前記モータと、前記制御基板とのうちの１つ以上を保持する固定本体部と、
前記固定本体部に対して接近・離間可能に設けられ、前記ファンと、前記芳香等成分担持体と、前記モータと、前記制御基板とのうちの前記固定本体部に設けられた前記１つ以上を除くものを保持する可動本体部と、
前記固定本体部に対して前記可動本体部が接近する毎にＯＮ信号を出力する１つ以上のスイッチを含むスイッチ装置と
を含むことを特徴とする芳香等成分発生装置。
【請求項２】
前記制御基板が、基板部を含み、
前記制御部が、前記基板部に設けられ、前記スイッチ装置から出力されるＯＮ信号に基づいて前記モータを制御するモータ制御部を含み、
前記モータ制御部が、前記スイッチ装置からＯＮ信号が出力された場合に、前記モータを始動させるとともに、連続運転させ、次にＯＮ信号が出力された場合に、前記モータを前記連続運転から間欠運転に切り換え、次にＯＮ信号が出力された場合に、前記モータを停止させるものである請求項１に記載の芳香等成分発生装置。
【請求項３】
前記スイッチ装置が、前記スイッチを３つ以上含み、
前記３つ以上のスイッチの各々が、前記基板部に、互いに等間隔に設けられた請求項２に記載の芳香等成分発生装置。
【請求項４】
前記可動本体部と前記固定本体部とのいずれか一方が、中央部が周辺部より上方に突出した形状を成し、前記芳香等成分担持体を下方から支持する担持体支持部を含み、
前記芳香等成分担持体が前記担持体支持部に前記芳香等成分担持体の下面が前記担持体支持部の前記中央部の上面に当接して保持された状態で、前記担持体支持部の前記周辺部が前記芳香等成分担持体の下面より下方に隙間を隔てて位置する請求項１ないし３のいずれか１つに記載の芳香等成分発生装置。
【請求項５】
当該芳香等成分発生装置が、前記ファンの作動により吸気口からエアを吸引して流出口から流出させることにより、前記芳香等成分を放出するものであり、
前記固定本体部が、内側本体部とされ、
前記可動本体部が、前記内側本体部の外側面を隙間を隔てて囲むカバー部を備えた外側本体部とされ、
前記内側本体部と前記カバー部の内側面の下端部との間の隙間が前記吸気口とされた請求項１ないし４のいずれか１つに記載の芳香等成分発生装置。
【請求項６】
前記カバー部の内側面と前記芳香等成分担持体の外側面との間に隙間が設けられ、
前記エアが、前記隙間を通る請求項５に記載の芳香等成分発生装置。
【請求項７】
前記カバー部の内側面と前記芳香器成分担持体の外側面との少なくとも一方に、互いに接近する向きに突出する凸部が設けられた請求項５または６に記載の芳香等成分発生装置。
【請求項８】
前記制御基板が、前記固定本体部の前記可動本体部に上下方向において対向する部分に保持され、
前記可動本体部が、前記カバー部の中間部に設けられた中間板を含み、
前記中間板が、前記スイッチ装置に対向して位置する請求項４ないし７のいずれか１つに記載の芳香等成分発生装置。
【請求項９】
本体と、
前記本体に相対回転可能に保持されたファンと、
前記ファンの下流側に設けられ、芳香成分、消臭成分、防虫成分のうちの１つ以上を有する芳香等成分を含む液体を保持する芳香等成分担持体と
を含み、前記ファンの作動によりエアを吸気口から吸引して流出口から流出させることにより、前記芳香等成分を放出する芳香等成分発生装置であって、
前記エアが、前記芳香等成分担持体の外側面と前記本体の内側面との間の隙間を通り、
前記芳香等成分担持体の外側面と前記本体の前記内側面との少なくとも一方に、互いに接近する向きに突出する少なくとも１つの凸部が設けられた芳香等成分発生装置。
【発明の詳細な説明】
【技術分野】
【０００１】
本発明は、芳香成分、消臭成分、防虫成分等のうちの１つ以上の成分である芳香等成分を発生させる芳香等成分発生装置に関するものである。
【背景技術】
【０００２】
特許文献１には、本体に保持されたスピーカと、スピーカの上方に設けられた芳香成分担持体と、スピーカと芳香成分担持体との間の本体に形成された複数の孔とを含む芳香器が記載されている。スピーカと芳香成分担持体との間の複数の穴は音口であり、音口を介して伝達されたエアが、芳香成分担持体の外周面と本体の内周面との間の開口から流出させられ、それにより、芳香成分担持体に保持された芳香成分が拡散される。
特許文献２には、本体に保持されたファンと、ファンの側方に設けられた芳香成分担持体群と、ファンと芳香成分担持体群との間の本体に形成された複数の孔とを含む芳香器が記載されている。この芳香器においては、ファンの回転により形成されたエアが複数の孔を経て、芳香成分担持体群を通って流出させられる。それにより芳香成分が拡散される。また、芳香成分担持体群には、概して球状を成し、陶器によって製造された芳香成分担持体が複数含まれる。
【先行技術文献】
【特許文献】
【０００３】
【特許文献１】特開２０１８−６８３７３号公報
【特許文献２】特開２０００−２５４２１７号公報
【発明の概要】
【発明が解決しようとする課題】
【０００４】
本発明の課題は、芳香等成分発生装置の改良を図ることであり、例えば、使い勝手をよくすること、または、芳香等成分を良好に拡散可能とすること等である。
【課題を解決するための手段および作用】
【０００５】
本発明に係る芳香等成分発生装置においては、固定本体部に対して可動本体部が相対移動可能に設けられ、これら固定本体部に対する可動本体部の相対移動により、芳香等成分発生装置のスイッチが切り換えられる。
また、本発明に係る芳香等成分発生装置において、ファンの作動によりエアが吸気口から吸引されて流出口から流出させられ、それにより、芳香等成分担持体に保持された芳香等成分が放出される。エアは、芳香等成分担持体の外側面と本体の内側面との間の隙間を通るが、これら芳香等成分担持体の外側面と本体の内側面との間に絞り部が設けられる。それにより、芳香等成分担持体の表面において渦が生じ易くなる。
【発明の効果】
【０００６】
以上のように、本発明に係る芳香等成分発生装置においては、可動本体部の固定本体部に対する相対移動によりスイッチが切り換わるのであり、使い勝手を良くすることができる。また、芳香等成分担持体の表面において渦が生じ易くなるため、芳香等成分を良好に放出させることが可能となる。以上のように、芳香等成分発生装置の改良を図ることができる。
【図面の簡単な説明】
【０００７】
【図１】本発明の実施例１に係る芳香等成分発生装置としての芳香器の斜視図である。
【図２】上記芳香器の断面図である。
【図３】上記芳香器のスイッチ装置の周辺を概念的に示す図である。
【図４】上記芳香器のモータ制御部の周辺を概念的に示すブロック図である。
【図５】上記制御基板の記憶部に記憶されたモータ制御プログラムを表すフローチャートである。
【図６】上記芳香器におけるエアの流れを概念的に示す図である。
【図７】本発明の実施例２に係る芳香等成分発生装置としての芳香器の断面図である。
【図８】本発明の実施例３に係る芳香等成分発生装置としての芳香器の断面図である。
【図９】本発明の実施例４に係る芳香等成分発生装置としての芳香器の断面図である。
【図１０】本発明の別の実施例に係る芳香等成分発生装置としての芳香器の断面図である。
【図１１】本発明の実施例５に係る芳香等成分発生装置としての芳香器の断面図である。
【発明を実施するための形態】
【０００８】
以下、本発明の一実施形態に係る芳香等成分発生装置としての芳香器について図面に基づいて詳細に説明する。
【実施例１】
【０００９】
実施例１に係る芳香器８は、図１，２に示すように、概して円筒状を成す本体１０、芳香成分、消臭成分、防虫成分等である芳香等成分を有する液体を保持する芳香等成分担持体１２、エアの流れを生じさせるファン１４、ファン１４を駆動する電動モータ（以下、モータと略称する）１６、モータ１６を制御する制御部等を有する制御基板１８、バッテリ２０等を含む。芳香器８は、ファン１４の作動によりエアの流れを生じさせて、芳香等成分担持体１２に保持された芳香等成分を放出させるものである。
【００１０】
芳香等成分担持体１２は、芳香等成分を有する液体を保持可能な多孔質のものとすることが望ましく、例えば、無機材料の焼成物（例えば、セラミック、陶器、陶磁器等）とすることができる。また、芳香等成分担持体１２は、本実施例において、概して円盤状を成し、上面１２ｕと下面１２ｄと外側面１２ｆとを含み、下面１２ｄの中央部には上方に向かって凹んだ凹部１２ｈが設けられる。凹部１２ｈの底面１２ｂは平坦面とされる。以下、本明細書において芳香等成分担持体１２を陶板１２と称する。
また、芳香等成分を有する液体には、芳香剤，消臭剤，防虫剤等の薬剤、アロマオイル，ハーブオイル等の天然成分を含むオイル等が該当する。
【００１１】
本体１０は、固定本体部２６と可動本体部２８とを含み、可動本体部２８は固定本体部２６に上下方向に相対移動可能に保持される。本実施例において、固定本体部２６に、制御基板１８、バッテリ２０が保持され、可動本体部２８に、陶板１２、ファン１４、モータ１６が保持される。
固定本体部２６は、概して有底円筒状を成すベース３０、ベース３０に設けられ、上下方向に伸びた複数の支柱３２等を含む。ベース３０の中央部の凹部にはバッテリ２０が着脱可能に取り付けられる。複数の支柱３２は、ベース３０の外周部のほぼ同一円周上に、互いに間隔を隔てて設けられる。これら複数の支柱３２により、制御基板１８が、ベース３０より上方において保持される。制御基板１８は、固定本体部２６の上端に位置し、可動本体部２８の中間板４２に対向して位置する。
【００１２】
可動本体部２８は、上下方向に伸び、概して中空円筒状を成すカバー部４０と、カバー部４０の内側の、上下方向の中間部に取り付けられた中間板４２と、中間板４２に設けられ、上下方向に伸びる複数の支柱４４と、複数の支柱４４に保持された担持体支持部としての陶板等支持部４６とを含む。
カバー部４０の内径は、ベース３０の外径より大きく、カバー部４０は、固定本体部２６の大部分を隙間を隔てて囲む。中間板４２は円環状を成し、外周部においてカバー部４０にねじ等の締結部材により一体的に移動可能に固定され、中央部が上下方向に貫通した貫通孔４２ｈとされる。
【００１３】
複数の支柱４４は、中間板４２の貫通孔４２ｈの周りに、ほぼ同一円周上に互いに間隔を隔てて設けられる。
陶板等支持部４６は、概して円盤状を成し、中央部と、その中央部の周辺に位置する周辺部としての外周部とを含み、外周部において、複数の支柱４４により中間板４２より上方において保持される。また、陶板等支持部４６の中央部は外周部より上方に突出し、外周部が中央部に対して下方に向かって湾曲した形状を成す。陶板等支持部４６の中央部の上面である平坦面が陶板保持面４６uとされる。陶板１２が陶板等支持部４６に、底面１２ｂが陶板保持面４６ｕに当接して保持された状態において、陶板等支持部４６の外周部は陶板１２の下面１２ｄより下方に隙間を隔てて位置する。そのため、陶板等支持部４６の外周部を陶板１２の傾きを許容する傾斜許容部４６ｃと称することができる。また、陶板等支持部４６の中央部の下部にはモータ等保持部５０が取り付けられる。モータ等保持部５０は、図２に示すように、陶板等支持部４６より下方に位置する。モータ等保持部５０により、モータ１６およびファン１４が、中間板４２より上方、かつ、陶板より下方に、それぞれ間隔を隔てて保持される。なお、陶板等支持部４６はモータ等支持部の一部であると考えることができる。また、陶板等支持部４６の外径は、陶板１２の外径とほぼ同じとすることができる。
【００１４】
図２，３に示すように、ベース３０と中間板４２との間には複数（本実施例においては４つ）の支持部５５ａ、５５ｂ、５５ｃ、５５ｄ（以下、支持部５５ａ、５５ｂ、５５ｃ、５５ｄを総称する場合等これらを区別する必要がない場合には、単に、支持部５５と称する）が設けられる。支持部５５は、それぞれ、上下方向に伸びたガイド５４およびスプリング５６を含み、上下方向に伸縮可能とされている。これらガイド５４およびスプリング５６により可動本体部２８の固定本体部２６に対する接近・離間が許容される。支持部５５は、中間板４２の周辺部のほぼ同一円周上に間隔を隔てた位置にそれぞれ設けられる。本実施例においては、互いに隣接する支持部５５ａと支持部５５ｂとの間、互いに隣接する支持部５５ｃと支持部５５ｄとの間には、それぞれ、中心角７０°の間隔が設けられ、互いに隣接する支持部５５ｂと支持部５５ｃとの間、互いに隣接する支持部５５ｄと支持部５５ａとの間には、それぞれ、中心角１１０°の間隔が設けられる。このように、支持部５５ｂと支持部５５ｃとの間、支持部５５ｄと支持部５５ａとの間に中心角１１０°の間隔が設けられることにより、バッテリ２０の固定保体部２６への着脱が容易となる。
【００１５】
中間板４２とベース３０との間には制御基板１８が位置するが、支持部５５（ガイド５４およびスプリング５６）は、それぞれ、図３に示すように、制御基板１８の基板部１８ｖの外周部に内周部に向かって凹んで形成された４つの切欠き１８ｈを通って伸びる。スプリング５６は、可動本体部２８が固定本体部２６に対して離間した状態において定常状態にある。可動本体部２８は、スプリング５６のばね力に抗して固定本体部２６に接近させられ、スプリング５６の復元力により固定本体部２６から離間させられる。なお、接近限度、離間限度は、ガイド５４等に設けられた図示しないストッパにより規定される。
【００１６】
制御基板１８は、概して円板状を成す本体である基板部１８ｖ、基板部１８ｖに設けられた複数（本実施例においては４つ）のスイッチ１８sa、１８sb、１８sc、１８sd（以下、４つのスイッチ１８sa、１８sb、１８sc、１８sdを総称する場合等区別する必要がない場合には、単にスイッチ１８ｓと称する）および制御部としてのモータ制御部１８ｃ(図４参照)等を含む。スイッチ１８ｓは、基板部１８ｖの切欠き１８ｈとほぼ同一円周上に、中心角９０°ずつ隔てて４個搭載される。図３に示すように、スイッチ１８ｓは、切欠き１８ｈと交互に、両側に位置する切欠き１８ｈの中間に位置する。例えば、一方の対角位置にある２つのスイッチ１８sa，１８scは、それぞれ、スイッチ１８sa，１８scの各々と隣接して両側に位置する切欠き１８ｈから中心角３５°ずつ隔てて設けられ、他方の対角位置にある２つのスイッチ１８sb，１８sdは、それぞれ、スイッチ１８sb，１８sdの各々と隣接して両側に位置する切欠き１８ｈとの間に中心角５５°ずつ隔てて設けられる。具体的には、スイッチ１８saは、支持部５５ａが通る切欠き１８ｈと支持部５５ｂが通る切欠き１８ｈとからそれぞれ中心角３５°隔たった位置に設けられ、スイッチ１８sbは、支持部５５ｂが通る切欠き１８ｈと支持部５５ｃが通る切欠き１８ｈとからそれぞれ中心角５５°隔たった位置に設けられるのである。また、スイッチ１８ｓは、中間板４２の下面との間に隙間を隔てて設けられる。中間板４２の下面がスイッチ１８ｓから離間した状態で、スイッチ１８ｓはＯＦＦ状態にある。中間板４２の下面がスイッチ１８ｓに当接して、押圧することにより、スイッチ１８ｓはＯＮとなり、ＯＮ信号を出力する。本実施例において、４つのスイッチ１８ｓ等によりスイッチ装置が構成される。なお、スイッチ１８ｓのＯＮ／ＯＦＦとモータ１６のＯＮ／ＯＦＦとは同じであるとは限らない。
【００１７】
モータ制御部１８ｃには、図４に示すように、スイッチ１８ｓが図示しない回路により接続されるとともにモータ１６が接続される。
【００１８】
図２に示すように、可動本体部２８の円筒状のカバー部４０の内側面の環状の下端部４０ａと、固定本体部２６のベース３０の外側面３０ｆとの間の環状の隙間が吸気口６４とされ、カバー部４０の内側面の上端部４０ｂと陶板１２の外側面１２ｆの環状の上端部１２ａとの間の隙間が概して上方に開口する流出口としての開口部６６とされる。このように、吸気口６４が可動本体部２８と固定本体部２６との間の隙間とされ、開口部６６が可動本体部２８と陶板１２との間の隙間とされるため、芳香成分等発生装置の製造を容易にし得る。
本体１０の内部には、吸気口６４から開口部６６に達するエア通路ｒｏが形成される。エア通路ｒｏは、図６の破線が示すように、吸気口６４、カバー部４０の内側面と固定本体部２６との間の隙間、制御基板１８と中間板４２との間の隙間、貫通孔４２ｈ、ファン１４、陶板１２の外側面１２ｆとカバー部４０の内側面との間の隙間、開口部６６等を通る。また、エア通路ｒｏの一部は、カバー部４０の内側面とベース３０の外側面３０ｆとの間の隙間、複数の支柱３２の間の隙間、制御基板１８の切欠き１８ｈ、貫通孔４２ｈを通る場合もある。
【００１９】
一方、カバー部４０の内側面の陶板１２の外側面１２ｆに対向する部分には、陶板１２の外側面１２ｆに向かって突出した環状凸部４０ｓが設けられる。この環状凸部４０ｓにより、エア通路ｒｏの一部が絞られるのであり、環状凸部４０ｓと陶板１２の外側面１２ｆとにより絞り部６８が構成される。絞り部６８は、エア通路ｒｏの開口部６６または開口部６６の近傍に位置する。
【００２０】
以上のように構成された芳香器８において、図６に示すように、陶板１２の上面１２ｕ付近に、芳香等成分を有する液体Ｌｑが含浸されて担持される。陶板１２は、底面１２ｂが陶板保持面４６ｕに当接した状態で、陶板等支持部４６に取り付けられる。そして、可動本体部２８に下方に向かう力Ｆが加えられることにより、可動本体部２８が固定本体部２６に接近し、中間板４２の少なくとも一部が４つのスイッチ１８ｓのうちの少なくとも１つに当接して押圧することにより、スイッチ１８ｓがＯＦＦからＯＮとなり、ＯＮ信号を出力する。停止状態にあるモータ１６が始動させられ、連続運転させられる。それにより、ファン１４が回転させられ、吸気口６４からエアが吸引され、エア通路ｒｏに沿って流れ、開口部６６から外部に流出させられる。図６において、エアの流れを矢印Ｒで示す。
【００２１】
開口部６６から流出したエアは陶板１２の上面に向かって流れ易い。また、開口部６６または開口部６６の近傍に絞り部６８が設けられるため、陶板１２の上面１２ｕにおいて渦が生じ易い。その結果、陶板１２に含浸された液体Ｌｑが気化することにより発生した芳香等成分をエアにより良好に拡散させることができる。
また、スイッチ１８ｓが同一円周上に等間隔で４個設けられるため、下方に向かうＦが可動本体部２８のいずれの部分に加えられても、４つのうちの少なくとも１つのスイッチ１８ｓはＯＮに切り換わり易い。そのため、芳香器８の使い勝手を良くすることができる。
なお、可動本体部２８に加えられた力Ｆが除かれて、スプリング５６の復元力により可動本体部２８が固定本体部２６から離間させられた状態、すなわち、スイッチ１８ｓのＯＦＦ状態においても、モータ１６は連続運転状態にある。
【００２２】
そして、次に、可動本体部２８に下方に向かう力Ｆが加えられることにより、可動本体部２８が固定本体部２６に接近し、少なくとも１つのスイッチ１８ｓがＯＦＦからＯＮになり、ＯＮ信号を出力する。スイッチ１８ｓのＯＮ信号によりモータ１６は連続運転から間欠運転に切り換えられる。連続運転において、モータ１６には連続的に電流が供給され、モータ１６は連続して回転する。間欠運転において、モータ１６に電流が供給される電流供給状態と電流が供給されない非電流供給状態とが交互に切り換えられる。電流供給状態から非電流供給状態に切り換えられても、慣性によりモータ１６は回転し続けるが、その後、停止し、停止状態が保持される。そのため、間欠運転において、モータは、連続して回転する回転状態と停止状態とに交互に切り換えられる。
次に、可動本体部２８に下方に向かう力が加えられることにより、少なくとも１つのスイッチ１８ｓがＯＦＦからＯＮになり、ＯＮ信号を出力すると、間欠運転の状態にあるモータ１６が停止させられる。
【００２３】
モータ１６は図５のフローチャートで表されるモータ制御プログラムの実行により制御される。
ステップ１（以下、Ｓ１と略称する。他のステップについても同様とする）において、４つのスイッチ１８ｓのうちの少なくとも１つがＯＮ信号を出力したか否かが判定される。判定がＹＥＳである場合には、Ｓ２において停止状態にあるモータ１６が始動させられ、連続運転させられる。Ｓ３において、少なくとも１つのスイッチ１８ｓがＯＮ信号を出力したか否かが判定され、判定がＹＥＳになった場合には、Ｓ４においてモータ１６が連続運転から間欠運転に切り換えられる。Ｓ５において、少なくとも１つのスイッチ１８ｓがＯＮ信号を出力したか否かが判定され、判定がＹＥＳになった場合には、Ｓ６において、モータ１６は停止させられる。以下、Ｓ１〜６が繰り返し実行される。
【００２４】
このように、本実施例において、モータ１６は、スイッチ１８ｓからＯＮ信号が出力される毎に作動状態が切り換えられるのであるが、ＯＮ信号の出力回数に応じて制御されると考えることもできる。また、スイッチ１８ｓから２回ＯＮ信号が出力された場合に、モータ１６が間欠運転させられる。それにより、消費電力の低減を図ることができる。
【００２５】
その後、陶板１２を外す場合には、陶板１２の外周部の一部に下方に向かう力Ｐを加えればよい。陶板１２は、陶板１２の底面１２ｂと陶板等支持部材４６の陶板支持面４６ｕの端部との当接点Ｓを支点として傾き、陶板１２の力Ｐを加えた部分とは反対側の部分Ｑが持ち上がる。それにより、陶板１２を容易に取り外すことができる。なお、陶板１２の傾きは、傾斜許容部４６ｃにより許容される。
【００２６】
以上のように、本実施例においては、固定本体部２６が内側本体部に対応し、可動本体部２８が外側本体部に対応する。
【００２７】
なお、上記実施例においては、可動本体部２８と固定本体部２６との間の環状の隙間が吸気口６６とされたが、カバー部４０の側部に１つ以上の吸気口を設けることもできる。その場合には、ファン１４の側方または下方に設けることが望ましい。
【００２８】
また、絞り部６８は、陶板１２の外側面１２ｆにカバー部４０の内側面に向かって突出する環状凸部を設けることによって構成されるようにしたり、陶板１２の外側面１２ｆとカバー部４０の内側面との両方に環状凸部を設けることによって構成されるようにしたりすること等もできる。さらに、環状の凸部に限らず、カバー部４０の内側面と陶板１２の外側面１２ｆとの少なくとも一方に、側面の一部に沿った１つ以上の凸部を設けることもできる。なお、陶板１２の外側面１２ｆとカバー部４０の内側面との少なくとも一方に凸部を設けることにより、絞り部６８を設けることは不可欠ではない。
【００２９】
また、モータ１６の制御態様は問わない。例えば、少なくとも１つのスイッチ１８ｓからＯＮ信号が出力された場合に始動させ、次にＯＮ信号が出力された場合に停止させるようにすることもできる。
さらに、スイッチ装置に含まれるスイッチ１８ｓの個数は３個としたり、５個以上としたりすること等ができる。また、支持部５５の個数も問わない。例えば、３個としたり、５個以上としたりすることができる。さらに、支持部５５の間隔は問わない。例えば、支持部５５ａと支持部５５ｂとの間の間隔、支持部５５ｃと支持部５５ｄとの間の間隔を、中心角７０°以下（例えば、６０°、５０°等）としたり、中心角７０°より大きく（例えば、８０°、９０°等）としたりすること等ができる。
また、本体１０が固定本体部２６と可動本体部２８とを含んで構成されるようにすることは不可欠ではない。スイッチ１８ｓも、可動本体部２８の固定本体部２６に対する接近によりＯＮ信号が出力されるようにすることは不可欠ではない。
【００３０】
また、可動本体部２８、陶板１２等の形状は問わない。例えば、可動本体部２８を断面が多角形の枠状を成すものとしたり、陶板１２を概して多角形板としたりすること等ができる。具体的には、可動本体部２８のカバー部４０を概して多角形の筒状を成すものとすること等ができるのである。
さらに、固定本体部２６、可動本体部２８等を製造する材料は問わない。例えば、金属材料、樹脂材料、木材等により製造することができる。
また、本発明に係る芳香等成分発生装置は、芳香器に限らず、消臭装置、防虫装置等に適用することができる。
さらに、陶板等支持部４６が傾き許容部４６ｃを有することは不可欠ではなく、円盤状を成すものとすることができる。
【００３１】
また、上記実施例においては、可動本体部２８に陶板１２、ファン１４およびモータ１６が保持され、固定本体部２６にバッテリ２０および制御基板１８が保持される場合について説明したが、それに限らない。その場合の一例を実施例２，３の図７，８に示す。なお、以下の実施例において実施例１における芳香器と同じ構成要素については同じ符号を付して説明を省略する。
【実施例２】
【００３２】
実施例２に係る芳香器８０においては、図７に示すように、本体８１が固定本体部８２と可動本体部８４とを含み、固定本体部８２に制御基板１８、バッテリ２０、ファン１４およびモータ１６が保持され、可動本体部８４に陶板１２が保持される。実施例２においては、可動本体部８４にモータ１６およびファン１４等が保持されないため、実施例１における場合に比較して、スプリング５６の強度を小さくすることができ、その分、コストダウンを図ることができる。
【実施例３】
【００３３】
実施例３に係る芳香器９０においては、図８に示すように、本体９１が固定本体部９２と可動本体部９４とを含み、固定本体部９２に制御基板１８、ファン１４およびモータ１６が保持され、可動本体部９４に陶板１２、バッテリ２０が保持される。バッテリ２０は、陶板等支持部４６の下部に設けられたバッテリ保持部材９６によって保持される。なお、ガイド５４およびスプリング５６の図示は省略したが実際には、ベース３０と中間板４２との間に設けられる。以下の図１０においても同様である。
【実施例４】
【００３４】
また、バッテリは不可欠ではなく、芳香器に電源コードまたはＵＳＢコード１００を介して外部（例えば、家庭用コンセントまたはパソコン等）から電力が直接供給されるようにすることができる。その一例を図９〜１１に示す。
図９に示す芳香器１１０においては、制御基板１８が本体１１１の固定本体部１１２に保持され、ファン１４、モータ１６、陶板１２が可動本体部１１４に保持される。本実施例においては、支柱３２を短くすることが可能となる。
図１０に示す芳香器１２０においては、本体１２１の固定本体部１２２にファン１４、モータ１６、制御基板１８が保持され、可動本体部１２４に陶板１２が保持される。それにより、支柱４４の長さを短くすることが可能となる。
【実施例５】
【００３５】
また、上記各実施例に記載の芳香器において、陶板１２および開口部６６の上方に芳香室を設けることができる。その場合の一例を図１１に示す。
本実施例に係る芳香器１４０の本体１４１の可動本体部１４２は、上記各実施例に記載の芳香器のカバー部４０にハット状の上カバー部１４４を被せた形状を成す。上カバー部１４４は、概して中空の有底円筒状を成し、底部１４６が上方に位置し、筒部の下端がカバー部４０の上端部４０ｂに当接する。底部１４６の中央部には上下方向に貫通し、上方に向かって開口する流出口１５０が設けられ、上カバー部１４４の内部が芳香室１５２とされる。芳香室１５２には陶板１２の上面１２ｕが対向するとともに、開口部６６が開口する。
【００３６】
芳香器１４０においては、本体１４１の内部に、吸気口６４から開口部６６、芳香室１５２、流出口１５０を通るエア通路ｒｏ´が形成される。ファン１４の作動により、矢印Ｒ´が示すように、吸気口６４からエアが吸引され、開口部６６を経たエアが芳香室１５２に流入するが、開口部６６から流出したエアは陶板１２の上面１２ｕにおいて渦状となり易いため、芳香室１５２の内部に芳香等成分を良好に放出させることができる。芳香室１５２の内部には、芳香等成分を含んだエアが溜まり、上面の流出口１５０から外部に流出する。このように、実施例５に係る芳香器１４０においては、芳香室１５２に溜まった芳香等成分を含むエアが、流出口１５０から流出させられるため、芳香等成分を良好に外部に流出させて、拡散させることができる。
【００３７】
以上のように、絞り部６８は、エア通路の流出口または流出口の近傍に設けても、エア通路の中間部に設けてもよいのである。
【００３８】
以上、複数の実施例を記載したが、その他、本発明は、当業者の知識に基づいて種々の変更、改良を施した態様で実施することができる。
【符号の説明】
【００３９】
８，８０，９０，１１０，１２０，１４０：芳香器  １２：陶板  １４：ファン  １６：モータ  １８：制御基板  ２０：バッテリ  ２６，８２，９２，１１２，１２２：固定本体部  ２８，８４，９４，１１４，１２４，１４２：可動本体部  ４０：カバー部  ４２：中間板  ４６：陶板等支持部  ５５：支持部  ５６：スプリング  １８ｓ：スイッチ  ６４：吸気口  ６６：開口部  ６８：絞り  １５０：流出口  １５２：芳香室
【図１】
2020124402.tif 000003
【図２】
2020124402.tif 000004
【図３】
2020124402.tif 000005
【図４】
2020124402.tif 000006
【図５】
2020124402.tif 000007
【図６】
2020124402.tif 000008
【図７】
2020124402.tif 000009
【図８】
2020124402.tif 000010
【図９】
2020124402.tif 000011
【図１０】
2020124402.tif 000012
【図１１】
2020124402.tif 000013